(57)【要約】【課題】ハンマー等によって衝打することが不要な緊結部材を提供する。【解決手段】本発明の緊結部材は、断面視略コの字状に形成されたポケット体２を有する支柱３１に対して、ポケット体２に取付けられる緊結部材１であって、略水平方向に延びた水平部材１１と、水平部材１１の一端に設けられた中空状のくさび１３と、水平部材１１の端面にポケット体２の幅方向の長さより大とされる所定の間隔Ｐを隔てて設けられ略鉛直方向に延びた一対の掛止部材１２と、くさび１３の内方で変位自在に支持されるとともに、くさび１３に対して進退自在な突出部２３を有するロック部材１４とを備え、ポケット体２に取付けられるとき、一対の掛止部材１２がポケット体２を上方から狭持しつつくさび１３がポケット体２の内方に嵌入するするとともに、ロック部材１４がくさび１３の内方で変位することにより突出部２３がポケット体２の下方から突出する。【選択図】図７
2013234554.tif 000002
【特許請求の範囲】
【請求項１】
断面視略コの字状に形成されたポケット体を有する支柱に対して、前記ポケット体に取付けられる緊結部材であって、
略水平方向に延びた水平部材と、
前記水平部材の少なくとも一端に設けられた中空状のくさび部材と、
前記水平部材の端面に前記ポケット体の幅方向の長さより大とされる所定の間隔を隔てて設けられ略鉛直方向にそれぞれ延びた一対の掛止部材と、
前記くさび部材の内方で変位自在に支持されるとともに、前記くさび部材に対して前記支柱と反対側に進退自在な突出部を有するロック部材と、を備え、
前記ポケット体に前記くさび部材が取付けられるとき、前記一対の掛止部材が前記ポケット体を上方から狭持しつつ前記くさび部材が前記ポケット体の内方に嵌入するとともに、前記ロック部材が前記くさび部材の内方で変位することにより前記突出部が前記ポケット体の下方から突出することを特徴とする、緊結部材。
【請求項２】
前記ロック部材は、
前記突出部が前記くさび部材から突出したとき、前記くさび部材に設けられた係止ピンが係止される第１の凹部と、
前記第１の凹部に連なって形成され、前記突出部が前記くさび部材に退入したとき、前記係止ピンが係止される第２の凹部と、を有する、請求項１に記載の緊結部材。
【請求項３】
前記水平部材の下面に設けられ前記水平部材の高さ位置を規定するためのスペーサ部材をさらに備え、
前記ポケット体に前記くさび部材が取付けられるとき、前記スペーサ部材の下面が前記ポケット体の上端に当接する、請求項１または２に記載の緊結部材。
【請求項４】
前記くさび部材は、前記ロック部材が変位自在に内在可能な断面視略Ｕの字状に形成された本体を有しており、
前記本体において前記支柱の反対側の表面には、前記突出部が進退可能な開口が形成されている、請求項１ないし３のいずれかに記載の緊結部材。
【請求項５】
前記ポケット体は、
断面視略コの字状の本体と、その本体の両端部から拡開して前記支柱に沿って形成されたフランジとによって構成されており、
請求項１ないし４のいずれかに記載の緊結部材は、
前記ポケット体に取付けられるとき、前記掛止部材が前記本体の側面と前記フランジの表面とにともに当接されて前記ポケット体に取付けられることを特徴とする、緊結構造。
【発明の詳細な説明】
【技術分野】
【０００１】  本発明は、例えば建築現場等で組み立てられる仮設足場において、支柱に緊結される緊結部材に関するものである。また、この緊結部材を用いた緊結構造に関するものである。
【背景技術】
【０００２】  従来、仮設足場は、例えばビル等の建築工事現場において建築物に沿うようにして設けられ、作業者が作業を行うための床付布枠や布材等が敷設される。仮設足場としては、各部材の連結に例えばくさびが用いられたくさび緊結式足場が知られている（例えば特許文献１参照）。【０００３】  くさび緊結式足場では、図１２に示すように、例えば複数の支柱３１が建築物（図略）の外面に沿って設けられる。隣り合う支柱３１には、例えば布材３２や腕木材３３等が連結されて支柱３１が支持される。また、隣り合う腕木材３３には、床付布枠３４等が掛止されて取付けられる。【０００４】  支柱３１には、上下方向に所定間隔を隔てて複数のポケット体３５が形成されている。ポケット体３５は、図１３に示すように、２つの上部ポケット体３５と、その高さ分だけ下げられた位置に取付けられた２つの下部ポケット体３５とからなる。これらの上部ポケット体３５及び下部ポケット体３５は、平面視で四方に広がるように形成されるとともに、側面視で隣り合うポケット体３５同士が上下に互い違いになるよう形成されている。【０００５】  布材３２は、その端部にくさび３６を有しており、くさび３６が各ポケット体３５に楔着されることにより、布材３２が支柱３１に連結される。布材３２をポケット体３５に取付ける場合、作業者は、ポケット体３５の内方にくさび３６を嵌入し、くさび３６の頭部３６ａ（図１３参照）を例えばハンマー等で複数回衝打する。これにより、くさび３６は、ポケット体３５の内方に食い込むようになりポケット体３５に強固に嵌入される。図１４は、ポケット体３５にくさび３６が嵌入されたときの状態を示す平面図であり、ポケット体３５にくさび３６が嵌入されると、くさび３６の一部がポケット体３５の内側面に当接された状態となる。【０００６】  また、布材３２等をポケット体３５から取外す場合、作業者は、ポケット体３５に嵌入されているくさび３６の下部３６ｂを下方からハンマー等で衝打する。これにより、くさび３６は、ポケット体３５から抜脱され、布材３２等をポケット体３５から取外すことができる。【０００７】  しかしながら、くさび３６がハンマー等で衝打されると、衝打による金属音が周囲に不快感を及ぼすような騒音となる場合がある。特に、仮設足場が住宅地やその付近において敷設されると、近隣の住民から苦情が寄せられるおそれがある。また、くさび３６がハンマー等で激しく衝打されると、くさび３６の端部と当接するポケット体３５の表面にストレスが生じ、ポケット体３５が変形したり、くさび３６自体が損傷したりすることがある。さらに、誤って支柱３１を衝打すると、支柱３１が損傷し錆びの原因になることがある。
【先行技術文献】
【特許文献】
【０００８】
【特許文献１】特開２０１１−１１１８８８号公報
【発明の概要】
【発明が解決しようとする課題】
【０００９】  本発明は、上記した事情のもとで考え出されたものであって、ハンマー等によって衝打することが不要でポケット体に対する取付け、取外しが容易な緊結部材を提供することをその課題とする。また、この緊結部材を用いた緊結構造を提供することをその課題とする。
【課題を解決するための手段】
【００１０】  本発明の第１の側面によって提供される緊結部材は、断面視略コの字状に形成されたポケット体を有する支柱に対して、前記ポケット体に取付けられる緊結部材であって、略水平方向に延びた水平部材と、前記水平部材の少なくとも一端に設けられた中空状のくさび部材と、前記水平部材の端面に前記ポケット体の幅方向の長さより大とされる所定の間隔を隔てて設けられ略鉛直方向にそれぞれ延びた一対の掛止部材と、前記くさび部材の内方で変位自在に支持されるとともに、前記くさび部材に対して前記支柱と反対側に進退自在な突出部を有するロック部材と、を備え、前記ポケット体に前記くさび部材が取付けられるとき、前記一対の掛止部材が前記ポケット体を上方から狭持しつつ前記くさび部材が前記ポケット体の内方に嵌入するとともに、前記ロック部材が前記くさび部材の内方で変位することにより前記突出部が前記ポケット体の下方から突出することを特徴としている。【００１１】  本発明の緊結部材において、前記ロック部材は、前記突出部が前記くさび部材から突出したとき、前記くさび部材に設けられた係止ピンが係止される第１の凹部と、前記第１の凹部に連なって形成され、前記突出部が前記くさび部材に退入したとき、前記係止ピンが係止される第２の凹部と、を有するとよい。【００１２】  本発明の緊結部材において、前記水平部材の下面に設けられ前記水平部材の高さ位置を規定するためのスペーサ部材をさらに備え、前記ポケット体に前記くさび部材が取付けられるとき、前記スペーサ部材の下面が前記ポケット体の上端に当接するとよい。【００１３】  本発明の緊結部材において、前記くさび部材は、前記ロック部材が変位自在に内在可能な断面視略Ｕの字状に形成された本体を有しており、前記本体において前記支柱の反対側の表面には、前記突出部が進退可能な開口が形成されているとよい。【００１４】  本発明の第２の側面によって提供される緊結構造は、前記ポケット体は、断面視略コの字状の本体と、その本体の両端部から拡開して前記支柱に沿って形成されたフランジとによって構成されており、本発明の第１の側面によって提供される緊結部材は、前記ポケット体に取付けられるとき、前記掛止部材が前記本体の側面と前記フランジの表面とにともに当接されて前記ポケット体に取付けられることを特徴としている。
【発明の効果】
【００１５】  本発明によれば、ポケット体に緊結部材の一端部が取付けられるとき、一対の掛止部材がポケット体を上方から狭持するとともに、くさび部材がポケット体の内方に嵌入する。
そして、ロック部材がくさび部材の内方で変位することにより突出部が支柱の反対側に向いてポケット体の下方から突出する。そのため、一対の掛止部材やロック部材によってくさび部材がポケット体から抜脱することなく強固に固定することができる。したがって、ポケット体に緊結部材を取付けるとき、ハンマー等によってくさび部材を衝打することが不要となるので、騒音の問題や部材の損傷の問題等を解消することができる新規な構成の緊結部材を提供することができる。
【図面の簡単な説明】
【００１６】
【図１】本発明に係る緊結部材を示す斜視図である。
【図２】図１に示す緊結部材が支柱に取付けられた状態を示す部分斜視図である。
【図３】図２に示す緊結部材の部分側面図である。
【図４】図２に示す緊結部材の部分平面図である。
【図５】支柱に緊結部材が取付けられるときの状態を説明するための図である。
【図６】支柱に緊結部材が取付けられるときの状態を説明するための図である。
【図７】支柱に緊結部材が取付けられるときの状態を説明するための図である。
【図８】支柱から緊結部材を取外すときの状態を説明するための図である。
【図９】支柱から緊結部材を取外すときの状態を説明するための図である。
【図１０】支柱から緊結部材を取外すときの状態を説明するための図である。
【図１１】支柱から緊結部材を取外した状態を説明するための図である。
【図１２】従来の仮設足場の概略斜視図である。
【図１３】従来の緊結部材と支柱とを示す部分斜視図である。
【図１４】従来の緊結部材のくさびが支柱に嵌入されたときの状態を示す平面図である。
【発明を実施するための形態】
【００１７】  以下、本発明の実施の形態につき、図面を参照して具体的に説明する。
【００１８】  図１は、本発明に係る緊結部材を示す斜視図であり、図２は、図１に示す緊結部材が支柱に取付けられた状態を示す部分斜視図であり、図３は、図２に示す緊結部材の部分側面図であり、図４は、図２に示す緊結部材の部分平面図である。なお、以下の説明では、一つの緊結部材において支柱３１に向かう方向を前方といい、支柱３１から遠ざかる方向を後方という。
【００１９】  本発明に係る緊結部材１は、背景技術の欄で説明した建築工事現場等の仮設足場（図１２参照）において、仮設足場部材の一部として用いられるものである。緊結部材１は、建築物の外面に沿って配置され上下方向に延びる支柱３１に連結される部材である。具体的には、緊結部材１は、布材、腕木材、手摺、張り出しブラケット及び梁枠等を含む。
【００２０】  支柱３１には、緊結部材１を取付けるための複数のポケット体２（図２ないし図４参照）が設けられている。ポケット体２は、支柱３１の上下方向に所定間隔を隔てた部位に平面視で四方に広がるようにして４つずつ設けられている。各ポケット体２は、図２及び図４に示すように、平面視で略コの字状に形成された本体３と、本体３の両端にそれぞれ形成された一対のフランジ４とによって構成されている。一対のフランジ４は、支柱３１の円周面に沿うように本体３の両端からそれぞれ拡開されて形成されている。
【００２１】  本体３は、図４に示すように、幅方向の長さＷが比較的短く形成されている。すなわち、本体３の幅方向の長さＷは、従来のポケット体３５（図１４参照）の幅方向の長さＷ０に比べ小とされている（長さＷ０は、支柱３１の直径Ｒとほぼ同じ長さとされている）。より具体的には、幅方向の長さＷは、支柱３１の直径Ｒの約１／２とされている。これにより、４つのポケット体２は、図３に示すように、それらの上端の高さが略同一になるように支柱３１の周面に設けられる。また、幅方向の長さＷは、本体３の奥行き方向の長さＬより小とされており、後述するくさび１３が内在可能であって断面視で略矩形状とされている。
【００２２】  各ポケット体２は、それらの上端高さが略同一とされて支柱３１に設けられるので、隣り合うポケット体２のフランジ４同士を近接させることができる。そのため、支柱３１にポケット体２を溶接する際、隣り合うフランジ４の端部同士を一度のストロークで溶接することができ、例えばポケット体２を支柱３１に一つずつ溶接する場合に比べ、溶接時間の短縮を図ることができる。
【００２３】  本体３は、上端の開口面積が下端の開口面積に比べ大となるように上端から下端にかけてテーパ状に形成されている。これにより、ポケット体３の内方に後述するくさび１３を嵌入し易くなるといった利点がある。
【００２４】  緊結部材１は、上記ポケット体２に取付けられることにより本実施形態の緊結構造を有する。緊結部材１は例えば布材とされ、図１に示すように、パイプ状の水平部材１１と、水平部材１１の両端にそれぞれ接続された一対の掛止部材１２と、水平部材１１の端部から下方に延びたくさび１３と、くさび１３に内在されたロック片１４とによって概略構成されている。なお、上記したフランジ４、一対の掛止部材１２及びくさび１３は、一体ｔ系に形成されていてもよい。
【００２５】  水平部材１１は、その両端部に所定の厚みを有するフランジ部１５が形成されている。このフランジ部１５は、水平部材１１の端面部分を補強するためのものである。フランジ部１５は、その端面が平面状とされており、例えば掛止部材１２を水平部材１１に取付ける際の溶接を行い易くされている。
【００２６】  一対の掛止部材１２は、水平部材１１の端部において略鉛直方向に並設されており、両掛止部材１２の間隔Ｐ（図４参照）がポケット体２の幅方向の長さＷより大とされている。より詳細には、両掛止部材１２がフランジ２と接する点同士の間隔Ｐは、ポケット体２に緊結部材１１が取付けられる際、両掛止部材１２が本体３の外表面及びフランジ部４の外表面にともに当接するくらいの長さに設定されている。これにより、ポケット体２に対して緊結部材１を安定的に保持させることができ、支柱３１を見て左右の横揺れを可及的に抑制することができる。
【００２７】  すなわち、図１４に示したように、従来の構成におけるくさび３６のポケット体３５に対する取付け状態において、くさび３６と支柱３１とが接する点同士の幅Ｓは比較的狭いので、支柱３１を見て左右の横揺れが大きくなる。本実施形態によれば、上記したように、一対の掛止部材１２は、ポケット体２の外側において掛止されるので、ポケット体２の幅方向の長さＷが従来のポケット体３５のそれより小とされているにもかかわらず、一対の掛止部材１２がフランジ２（支柱３１）と接する点同士の間隔Ｐは、くさび部材５６と支柱３１とが接する点同士の幅Ｓより大とされている。
【００２８】  また、この場合、掛止部材１２は、支柱３１の外周面に沿う接線に対して略後方側に位置している。すなわち、本実施形態においては、ポケット体２のフランジ４が支柱３１に沿って設けられているため、掛止部材１２が直接的に支柱３１に沿う場合に比べて、フランジ４の厚みにより掛止部材１２をより後方側に位置させることができる。そのため、後述するように、緊結部材１は、平行移動させて支柱３１間から容易に取外すことができるといった利点がある。
【００２９】  くさび１３は、断面視で略Ｕの字状に形成されており、内方にロック片１４が十分内在される程度の幅Ｋ（図４参照）を有するように形成されている。また、くさび１３は、それがポケット体２に嵌入される際、くさび１３の後方側の外面がポケット体２の内側面に沿うような大きさとされている。
【００３０】  くさび１３は、その後方側が下方に進むほど狭まるようにテーパ状に形成されている。すなわち、ポケット体２のテーパ形状と略同一角度で傾斜されている。くさび１３は、その前方側が側面視で略湾曲した形状に形成されている。これにより、くさび１３をポケット体２に嵌入させたりポケット体２から抜脱させたりする場合、くさび１３が支柱３１に引っ掛かることなくスムーズに行うことができる。
【００３１】  また、くさび１３は、後方面の下端近傍に開口１６が形成されている。開口１６は、くさび１３がポケット体２に嵌入されたとき、ポケット体２の下端より下方で後方側から臨むようにされている。
【００３２】  くさび１３の両側面には、それらを貫通する第１の貫通孔１７及び第２の貫通孔１８が形成されている。第１の貫通孔１７は中央近傍に形成されている一方、第２の貫通孔１８は下端近傍に形成されている。これらの第１及び第２の貫通孔１７，１８には、第１固定ピン１９及び第２固定ピン２０がそれぞれ貫通支持される。第１及び第２固定ピン１９，２０は、それぞれ例えばスプリングピンからなる。
【００３３】  ロック片１４は、くさび１３がポケット体２から抜脱するのを防止するために備えられたものである。ロック片１４は、図３に示すように、概して側面視で略タツノオトシゴ状に形成されている。
【００３４】  ロック片１４の後方側上部は、下方に進むほど広がるテーパ状に形成されている。これは、ロック片１４がくさび１３の内部で変位する際にくさび１３の内面と衝突しないようにするためである。
【００３５】  ロック片１４は、中央やや上部に長穴２２が形成されている。この長穴２２には、上記した第１固定ピン１９が遊嵌支持されている。これにより、ロック片１４がくさび１３に支持されるとともに、ロック片１４がくさび１３の内方で変位自在とされている。
【００３６】  ロック片１４は、後方側の中央やや下部から突出した突出部２３が形成されている。この突出部２３は、くさび１３がポケット体２に嵌入された状態でくさび１３の開口１６から突出可能になっている。ロック片１４は、くさび１３がポケット体２に嵌入された状態で後述するようにその自重によって突出部２３が開口１６から突出されるので、くさび１３がポケット体２に対して保持される。すなわち、突出部２３は、ポケット体２に対するくさび１３の抜け止め防止の機能を有する（以下、この状態を「抜け止め状態」という）。
【００３７】  ロック片１４は、後方側下部に顎部２４が形成されており、顎部２４は、後方側にやや突出するように形成されている。顎部２４は、ロック片１４のバランサーとして機能を有する。具体的には、顎部２４は、ロック片１４を図３に示す右側に変位させるように作用し、図３に示す抜け止め状態に保持させる。
【００３８】  ロック片１４の前方側上部角部は、略直角状に形成されており、前方側上部から中央にかけては、略鉛直平面とされている。ロック片１４の前方側中央には、滑らかな段差凹部２５（特許請求の範囲に記載の「第１の凹部」に相当）が形成されており、抜け止め状態で第２固定ピン２０がこの段差凹部２５部分に係止されるようになっている。
【００３９】  さらにロック片１４の段差凹部２５の下部には、後方側であって右斜め上方に向かって凹んだ略Ω字状の凹部２６（特許請求の範囲に記載の「第２の凹部」に相当）が形成されている。くさび１３がポケット体２から取り外されるとき、第２固定ピン２０がこの凹部２６に係止される。この場合、凹部２６は、右斜め上方に向かって凹んでおり、略Ω字状に形成されているため、第２固定ピン２０が容易に凹部２６から外れることはない。
【００４０】  ロック片１４の前方側下部は、上方に進むほど広がるテーパ状に形成されている。これは、ロック片１４がくさび１３の内部で変位する際に支柱３１の外表面と衝突しないようにするためである。
【００４１】  水平部材１１とくさび１３の連結部分には、所定の厚みを有するスペーサ２１が設けられている。スペーサ２１は、くさび１３がポケット体２に嵌入されたととき、ポケット体２に対するくさび１３の嵌入距離を規定するためのものである。すなわち、くさび１３がポケット体２に嵌入されたとき、スペーサ２１の下端がポケット体２の上端に当接される。これにより、ポケット体２に対するくさび３の嵌入距離を一定にすることができる。
【００４２】  従来のくさび緊結式足場では、作業者によってハンマー等で衝打される際、その衝打力が異なるので、くさび３６のポケット体３５への食い込み度合いにばらつきが生じる。そのため、くさび３６のポケット体３５が比較的浅く食い込んでいる場合には、くさび３６がポケット体３５に十分に緊結されず、仮設足場が揺れ易くなり最悪くさび３６がポケット体３５から抜脱したりするおそれがあった。
【００４３】  本実施形態では、上記のようにスペーサ２１によってポケット体２に対するくさび３の嵌入距離を一定にすることができるので、従来のくさび緊結式足場における食い込み度合いのばらつきの不具合を解消することができる。
【００４４】  次に、緊結部材１の作用について説明する。
【００４５】  まず、緊結部材１を支柱３１のポケット体２に取付ける場合について説明する。この場合、図５に示すように、ロック片１４は、下部が前方側に傾いた状態である。すなわち、第１固定ピン１９は、ロック片１４の長穴２２の上部に係止されており、第２固定ピン２０は、ロック片１４の凹部２６に係止されている。そのため、ロック片１４の突出部２３は、くさび１３の内部に退入され、くさび１３の表面から突出していない。この状態において緊結部材１は、ポケット体２に嵌入される（白矢印Ａ参照）。
【００４６】  この場合、作業者は、図６に示すように、一対の掛止部材１２を、ポケット体２の本体３を挟み込みつつポケット体２のフランジ４に沿わすようにして、くさび１３をポケット体２の内方に嵌入する。この場合、くさび１３の後方側はテーパ状に形成される一方、前方側は略湾曲状に形成されているため、くさび１３をポケット体２にスムーズに嵌入することができる。なお、くさび１３内におけるロック片１４の状態は、図５に示した状態が維持されたままである。
【００４７】  また、くさび１３がポケット体２に嵌入されると、スペーサ２１の下端がポケット体２の上端に当接される。スペーサ２１の厚みは一定であるので、くさび１３のポケット体２に対する嵌入高さを一定にすることができる。すなわち、このスペーサ２１によって作業者が異なっても嵌入高さにばらつきを生じさせることなく、嵌入高さを常時一定にすることができる。
【００４８】  次いで、図６の白矢印Ｂに示すように、作業者は、ロック片１４の下端部を後方側に変位させる。これにより、緊結部材１は、ポケット体２にロックされた状態となる。すなわち、図７に示すように、ロック片１４がくさび１３の内部で第１固定ピン１９を軸にして反時計回りに変位されることにより、第２固定ピン２０が凹部２６から外れ、段差凹部２５に移動する。これにより、突出部２３がくさび１３の開口１６から突出する。
【００４９】  そのため、この抜け止め状態においてロック片１４の下方から上方側に押圧力が加わったとしても、突出部２３がくさび１３の開口１６上端に当接し、くさび１３がポケット体２から抜脱することはない。なお、この場合、ロック片１４の顎部２４がバランサーとして機能し、突出部２３がくさび１３の開口から突出した状態を保持する。
【００５０】  このように、本実施形態によれば、一対の掛止部材１２をポケット体２の外側から狭持するように保持し、ロック片１４によりくさび１３をポケット体２から抜脱することがないようにすることができるので、緊結部材１を強固にポケット体２に緊結することができる。この場合、ハンマーなしでその作業を行うことができるので、騒音の問題を生じさせることがなく、また、緊結部材１、ポケット体２及び支柱３１が損傷する不具合も解消することができる。
【００５１】  次に、緊結部材１を支柱３１のポケット体２から取外す場合について説明する。この場合、図８に示すように、作業者は、ロック片１４の顎部２４を前方側に押圧する。より厳密には、作業者により顎部２４を前方側やや上方に押圧する（白矢印Ｃ参照）。
【００５２】  これにより、段差凹部２５に係止されていた第２固定ピン２０は、図９に示すように、段差凹部２５の表面をなぞるようにして変位するとともに、第１固定ピン１９は長穴２２内を移動し長穴２２の下端に至る。そのため、ロック片１４は、くさび１３の内部で持ち上げられるように変位する。
【００５３】  作業者は、継続してロック片１４の下部を前方側に変位させると（図９の白矢印Ｄ参照）、図１０に示すように、第２固定ピン２０は凹部２６に係止される。また、ロック片１４の突出部２３は、くさび１３の内方に後退する。次いで、作業者は顎部２４から手を放すと、ロック片１４は、自重（白矢印Ｅ参照）により上部が後方側に傾き、第１固定ピン１９は長穴２２の上端に変位する。そのため、この状態で緊結部材１を上方に持ち上げれば、くさび１３をポケット体２から抜脱することができ、緊結部材１を支柱３１同士の間から容易に取外すことができる。
【００５４】  このように、緊結部材１を支柱３１のポケット体２から取外す場合も、ロック片１４をくさび１３の内方で変位させるだけで、くさび１３をポケット体２から容易に抜脱することができる。特に、この場合、一対の掛止部材１２は、支柱３１の外表面から後方側に位置されるので、支柱３１同士の間から緊結部材１を平行移動させて取外すことができる。
【００５５】  従来の構成では、支柱３１同士の間から布材３２を取外そうとする場合、一方側のくさび３６を取り外し、布材３２を傾けて他方側のくさび３６を取外す必要があるが、布材３２が支柱３１に引っ掛かり布材３２を取外すことが困難であった。しかし、本実施形態の緊結部材１では、図１１に示すように、両端部のくさび１３を一度に各ポケット体２から上方へ抜脱することができるので、容易にかつスムーズに緊結部材１を取外すことができる。特に、足場部材が何層にも組立てられている場合、各緊結部材が強固に取り付けられているため、途中層の緊結部材のみを取外しことは非常に困難であったが、本実施形態では、途中層の緊結部材１のみを容易に取外すことができる。
【００５６】  なお、本発明の範囲は上述した実施の形態に限定されるものではなく、発明の範囲を逸脱しない範囲で種々の変更を行うことができる。例えば上記実施形態における緊結部材１を構成する水平部材１１、掛止部材１２、くさび１３及びロック片１４等の各部材の数、形態、大きさ及び構造等は、上記実施形態に限るものではなく、適宜設計変更可能である。例えば上記実施形態においては、一対の掛止部材１２の形状は円柱状に限るものではなく、半円柱状や角柱状であってもよい。
【符号の説明】
【００５７】  １    緊結部材
２    ポケット体
３    本体
４    フランジ
１１    水平部材
１２    掛止部材
１３    くさび
１４    ロック片
１６    開口
１９    第１固定ピン
２０    第２固定ピン
２１    スペーサ
２２    長穴
２３    突出部
２４    顎部
２５    段差凹部
２６    凹部
３１    支柱
【図１】
2013234554.tif 000003
【図２】
2013234554.tif 000004
【図３】
2013234554.tif 000005
【図４】
2013234554.tif 000006
【図５】
2013234554.tif 000007
【図６】
2013234554.tif 000008
【図７】
2013234554.tif 000009
【図８】
2013234554.tif 000010
【図９】
2013234554.tif 000011
【図１０】
2013234554.tif 000012
【図１１】
2013234554.tif 000013
【図１２】
2013234554.tif 000014
【図１３】
2013234554.tif 000015
【図１４】
2013234554.tif 000016